(57)【要約】【課題】観音開きにより左右方向に大きく広げて見ることができる、顧客に対する訴求効果がきわめて大きい新聞折り込み用チラシとしての使用に好適な印刷物及びその製造方法を提供することにある。【解決手段】輪転印刷機を使用して連続用紙に絵柄を印刷し、印刷された連続用紙を巾方向の中央部で流れ方向に２つ折りして連続用紙の端縁を揃えて接着し、２つ折りされた連続用紙の一方の幅方向の中央部に流れ方向に連続した切目を形成し、流れに直角方向の所定位置にて断裁するとともに、２つ折りされた連続用紙の一方の切目を内側にして２つ折りする方法により製造される、左右方向に観音開きにより大きく広げることのできる印刷物である。【選択図】        図３
2004182428.tif 000002
【特許請求の範囲】
【請求項１】
矩形状の印刷紙片を左右方向の中央部にて２つ折りし、折り曲げた印刷紙片の両端縁部間を接着し、２つ折りした印刷紙片の一方の左右方向の中央部に上下方向に切目を形成し、切目が形成された一方の紙片を内側にして上下方向に２つ折りした構成からなることを特徴とする印刷物。
【請求項２】
前記印刷物の折り畳んだ状態の大きさがＢ４サイズであることを特徴とする請求項１記載の冊子状印刷物。
【請求項３】
輪転印刷機を使用して連続用紙に所定の絵柄を印刷する工程と、印刷した連続用紙を巾方向の中央部にて流れ方向に２つ折りする工程と、２つ折りされた連続用紙の両端縁間を接着する工程と、２つ折りされた連続用紙の一方の巾方向の中央部に流れ方向に連続した切目を形成する工程と、連続用紙を流れに直角方向の所定位置にて断裁する工程、断裁した連続用紙を切目が形成された一方の紙片を内側にして所定位置にて流れに直角方向に２つ折りする工程からなることを特徴とする印刷物の製造方法。
【発明の詳細な説明】
【０００１】
【発明の属する技術分野】
本発明は、汎用の輪転機を使用して効率的に製造することが可能な、観音開きにより左右方向に大きく広げて見ることができる、新聞折り込み用チラシ等の用途に好適な印刷物及びその製造方法に関する。
【０００２】
【従来の技術】
従来、折り畳んだ状態の大きさがＢ４サイズであって、観音開きにより左右方向に大きく広げることができ、広げた状態でＢ２サイズ程度の大きさを有する印刷物に関する特許は見当たらない。折り畳まれた状態の大きさがＢ４サイズの大きさを有するチラシ等に利用できる印刷物としては、印刷されたＢ２サイズの大きさの紙片を長手方向に２つ折りし更に長手方向に２つ折りした、４つ折りした構成のものが一般的であるが、Ｂ２サイズの大きさの紙片を直角方向に２回折りした４つ折り構成の印刷物は、あまりにもありふれた形態であり顧客に対する訴求効果に乏しく，手に取られずして捨てられることが多く、顧客に対して訴求効果の有る形態の印刷物が望まれている。
【０００３】
【発明が解決しようとする課題】
本発明は、汎用の輪転機を使用して効率的に製造することができる顧客に対して高い訴求効果を有する印刷物であり、特に観音開きにより左右方向に大きく広げて見ることが可能な新聞折り込み用チラシとしての利用に好適な印刷物及びその製造方法を提供することである。
【０００４】
【課題を解決するための手段】
矩形状の印刷紙片を左右方向の中央部にて２つ折りし、折り曲げた印刷紙片の両端縁部間を接着し、２つ折りした印刷紙片の一方の左右方向の中央部に上下方向に切目を形成し、切目が形成された一方の紙片を内側にして上下方向に２つ折りした構成の印刷物とすることにより、観音開きにより左右方向に大きく広げて見ることができるので、顧客に対する訴求効果がきわめて大きい新聞折り込み用チラシ等として使用することができる。また、例えば、外面に昼景を印刷し内面に夜景を印刷しておくことにより左右方向に開くことにより昼夜の景色を見ることができるし、また外面に外観を印刷し内面に内部構造を印刷しておくことにより左右方向に開くことにより外観と内部構造を見ることができる効果を奏するものである。
【０００５】
上記の冊子状印刷物において、前記印刷物の折り畳んだ状態の大きさがＢ４サイズとすることにより、新聞折り込み用チラシとしての使用に好適な印刷物とすることができる。
【０００６】
輪転印刷機を使用して連続用紙に所定の絵柄を印刷する工程と、印刷した連続用紙を巾方向の中央部にて流れ方向に２つ折りする工程と、２つ折りされた連続用紙の両端縁間を接着する工程と、２つ折りされた連続用紙の一方の巾方向の中央部に流れ方向に連続した切目を形成する工程と、連続用紙を流れに直角方向の所定位置にて断裁する工程、断裁した連続用紙を切目が形成された一方の紙片を内側にして所定位置にて流れに直角方向に２つ折りする工程からなる印刷物の製造方法とすることにより、汎用の輪転印刷機を使用して連続用紙に所定の絵柄を印刷する印刷工程とインラインで、流れ方向の折り加工、折り曲げた連続用紙の端縁部の接着加工、流れ方向に連続した切目を形成する加工、流れに直角方向に断裁する加工、流れに直角方向に折り曲げる加工を行うことが可能になるので、観音開きにより左右方向に大きく広げて見ることができる印刷物を効率的に大量生産することが可能となる。
【０００７】
【発明の実施の形態】
以下、図面を引用して本発明の実施の形態を説明する。
図１は本発明の実施形態を示す折り畳んだ状態の平面図、図２は図１におけるＩ−Ｉ断面図、図３は本発明の実施形態の半開き状態の斜視図、図４は本発明の印刷物の製造方法において連続用紙を左右方向の中央部で折り曲げて端縁で接着し折り曲げた一方の紙片の左右方向の中央部に切目を形成した状態の平面図、図５は図４におけるＩＩ−ＩＩ断面図であって、１は印刷紙片、１ａ，１ｂ，１ｃは紙片、２は接着部、３，４は折目、５は切目、６は断裁線、７は折目線、Ａは連続用紙をそれぞれ表す。
【０００８】
本発明の印刷物の実施形態は、折り畳んだ状態の平面図が図１に、横断面図が図２にそれぞれ示すとおりである。本発明の印刷物は、紙片１ａと紙片１ｂと紙片１ｃが左右方向に連接された大きさの矩形状の印刷紙片１を左右方向の中央部の折目３にて２つ折りし、２つ折りした印刷紙片１の両側端を揃えて端縁の接着部２にて接着し、２つ折りした印刷紙片１の一方側の左右方向の中央部に縦方向の切目５を形成し、２つ折りした印刷紙片１の切目５を形成した側を内側にして横方向の折目４にて上下方向に２つ折りした構成であり、印刷紙片１の２つ折りされた他方が紙片１ａとなり、印刷紙片１の２つ折りされた一方が切目５により紙片１ｂと紙片１ｃに分離され、紙片１ｃの端縁が紙片１ａの端縁の接着部２にて接着された構成となっている。なお、切目５としては、部分的につなぎ部を有するミシン目状の切目であっても良く、ミシン目状の切目とした場合には、顧客に対してより訴求効果の高い印刷物とすることができる。
【０００９】
実施形態の印刷物の折り畳んだ状態の横断面図は、図２に示すように、一方の端縁の接着部２にて紙片１ａと紙片１ｃが接着され、他方の端縁の折目３にて紙片１ａと紙片１ｂが折り曲げられた状態であり、上下対称に重なり合った構成となっている。
【００１０】
実施形態の印刷物を折り畳んだ状態から、横方向の折目４にて切目５が上になるように上下方向に広げ、次いで、折目３にて紙片１ａと紙片１ｂを広げるとともに接着部２にて紙片１ａと紙片１ｃを広げることにより、図３に示すように、観音開きにより左右方向に大きく広げることができるものである。例えば、折り畳んだ状態の大きさをＢ４サイズとすることにより、新聞折り込み用チラシとしての使用に好適な印刷物となり、観音開きにより左右方向に広げた状態でＢ２サイズの大きさとなるので、顧客に対する訴求効果の大きいチラシとすることができるものである。実施形態の印刷物は、観音開きにより左右方向に大きく広げて見ることができるので、例えば、外面に昼景を印刷し内面に夜景を印刷しておくことにより左右方向に開くことにより昼夜の景色を見ることができるし、外面に外観を印刷しておき内面に内部構造を印刷しておくことにより左右方向に開くことにより外観と内部構造を見ることができる効果を奏するものである。また、家電製品など商品によっては原寸大で商品を掲載するなどインパクトの高いチラシとすることができ、顧客に対する訴求効果をきわめて大きくすることができる。
【００１１】
実施形態の印刷物の製造方法の概略は下記の通りである。オフセツト輪転印刷機等を使用して連続用紙Ａに所定の印刷を行い、印刷した連続用紙Ａを巾方向の中央部にて流れ方向に２つ折りして両側端を揃えて接着部２にて接着した後に、２つ折りされた連続用紙Ａの一方の紙片の巾方向の中央部に流れ方向に連続した切目５を形成して図４に示す状態とする。この状態での断面形状は、図５に示すように、折目３にて流れ方向に２つ折りされた連続用紙Ａが両端縁を揃えて接着部２にて接着され、２つ折りされた連続用紙Ａの上側が紙片１ａとされ、下側の紙片は巾方向の中央部に形成された切目５により、紙片１ｂと紙片１ｃに分離された状態となっている。
【００１２】
図４に示す状態から、２つ折りされ切目５が形成された連続用紙Ａを、流れに直角方向の断裁線６に沿って断裁するとともに、切目５が形成された側が内側にくるように折目線４にて流れに直角方向に２つ折りすることにより、図１に示す実施形態の印刷物が作製される。この方法を採用することにより、汎用のオフセツト輪転印刷機等を使用して連続用紙に所定の絵柄を印刷し、絵柄の印刷工程とインラインで、流れ方向に折り曲げる加工、端縁を接着する加工、切目を形成する加工、流れに直角方向に断裁する加工、流れに直角方向に折り曲げる加工を行うことができるので、印刷物を効率的に大量生産することが可能となる。
【００１３】
本発明の印刷物のように、観音開きした状態で左右寸法がＢ２サイズの長手方向の寸法を有する印刷物を、Ｂ判半裁巾の連続用紙を使用して所定の絵柄を印刷し、上記のように、印刷工程とインラインで、流れ方向の折り曲げ、端縁の貼り合わせ、断裁、流れに直角方向の折り曲げ加工を行うことにより、折り畳んだ状態で大きさがＢ４サイズの印刷物を、汎用のオフセツト輪転印刷機等を使用して簡単に作製することかできる。
【００１４】
【発明の効果】
矩形状の印刷紙片を左右方向の中央部にて２つ折りし、折り曲げた印刷紙片の両端縁部間を接着し、２つ折りした印刷紙片の一方の左右方向の中央部に上下方向に切目を形成し、切目が形成された一方の紙片を内側にして上下方向に２つ折した構成の印刷物とすることにより、観音開きにより左右方向に大きく広げて見ることができるので、顧客に対する訴求効果がきわめて大きい新聞折り込み用チラシ等として使用することができる。また、例えば、外面に昼景を印刷し内面に夜景を印刷しておくことにより左右方向に開くことにより昼夜の景色を見ることができるし、また外面に外観を印刷し内面に内部構造を印刷しておくことにより左右方向に開くことにより外観と内部構造を見ることができる効果を奏するものである。
【００１５】
上記の冊子状印刷物において、前記印刷物の折り畳んだ状態の大きさがＢ４サイズとすることにより、新聞折り込み用チラシとしての使用に好適な印刷物とすることができる。
【００１６】
輪転印刷機を使用して連続用紙に所定の絵柄を印刷する工程と、印刷した連続用紙を巾方向の中央部にて流れ方向に２つ折りする工程と、２つ折りされた連続用紙の両端縁間を接着する工程と、２つ折りされた連続用紙の一方の巾方向の中央部に流れ方向に連続した切目を形成する工程と、連続用紙を流れに直角方向の所定位置にて断裁する工程、断裁した連続用紙を切目が形成された一方の紙片を内側にして所定位置にて流れに直角方向に２つ折りする工程からなる印刷物の製造方法とすることにより、汎用の輪転印刷機を使用して連続用紙に所定の絵柄を印刷する印刷工程とインラインで、流れ方向の折り加工、折り曲げた連続用紙の端縁部の接着加工、流れ方向に連続した切目を形成する加工、流れに直角方向に断裁する加工、流れに直角方向に折り曲げる加工を行うことが可能になるので、観音開きにより左右方向に大きく広げて見ることができる印刷物を効率的に大量生産することが可能となる。
【図面の簡単な説明】
【図１】本発明の実施形態を示す折り畳んだ状態の平面図。
【図２】図１におけるＩ−Ｉ断面図。
【図３】本発明の実施形態の半開き状態の斜視図。
【図４】本発明の印刷物の製造方法において連続用紙を左右方向の中央部で折り曲げて端縁で接着し折り曲げた一方の紙片の左右方向の中央部に切目を形成した状態の平面図。
【図５】図４におけるＩＩ−ＩＩ断面図。
【符号の説明】
１  印刷紙片
１ａ，１ｂ，１ｃ    紙片
２  接着部
３，４    折目
５  切目
６  断裁線
７  折目線
Ａ  連続用紙
【図１】
2004182428.tif 000003
【図２】
2004182428.tif 000004
【図３】
2004182428.tif 000005
【図４】
2004182428.tif 000006
【図５】
2004182428.tif 000007